(57)【要約】【課題】プラテンガラスの支持構造の剛性を向上する。【解決手段】画像読取装置は、プラテンガラス（２２）を支持する支持フレーム（２４）、支持フレーム（２４）の内側の内底面（２６）に配置された読取部（２３）、読取部（２３）の移動の案内部（２７）、制御部（３２）、読取部（２３）と制御部（３２）とを接続するハーネス（３１）、および内底面（２６）の案内部（２７）よりも前方側位置に凹形状の溝からなるハーネス収容部（２８）を備える。【選択図】図３
2020167482.tif 000002
【特許請求の範囲】
【請求項１】
プラテンガラスと、
前記プラテンガラスの周縁を支持する支持フレームと、
前記プラテンガラスの原稿が載置される上面とは反対側の下面側、かつ、前記支持フレームの内側に配置され、左右方向に往復移動する読取部と、
前記支持フレームの前記内側の内底面に前記左右方向に延伸するように形成され、前記読取部の往復移動を案内する案内部と、
前記読取部の動作を制御する制御部と、
前記読取部と前記制御部とを接続するハーネスと、
前記内底面の前記案内部よりも前方側位置に形成され、前記左右方向へ延伸した凹形状の溝からなり、前記ハーネスを収容するハーネス収容部と、
を備える、
ことを特徴とする画像読取装置。
【請求項２】
前記凹形状の溝は、
垂直方向に延びる縦壁であって前記左右方向へ延伸する壁である第１壁部を有している、
ことを特徴とする請求項１記載の画像読取装置。
【請求項３】
前記凹形状の溝は、
前記第１壁部と対向し、垂直方向に延びる縦壁であって前記左右方向へ延伸する壁である第２壁部を有している、
ことを特徴とする請求項２記載の画像読取装置。
【請求項４】
前記支持フレームの前記内底面には、前記ハーネス収容部と隣接して前記ハーネス収容部に対する前記案内部側の位置に、前記左右方向へ延伸した凹形状の溝を有するフレーム補強部が形成され、
前記ハーネス収容部の前記凹形状の溝は、前記フレーム補強部側の位置に前記第１壁部を有し、
前記フレーム補強部は、前記凹形状における前記案内部側の位置に、前記左右方向へ延伸した縦壁であり、前記第１壁部と対向する第３壁部を有し、かつ前記第１壁部から前記第３壁部に達する第４壁部を有している、
ことを特徴とする請求項２または３に記載の画像読取装置。
【請求項５】
前記制御部は、前記案内部よりも前方側位置に設けられている、
ことを特徴とする請求項１から４のいずれか１項に記載の画像読取装置。
【請求項６】
前記プラテンガラス上の前方側の端部位置が、読取原稿配置の基準位置となっていることを特徴とする請求項１から５のいずれか１項に記載の画像読取装置。
【請求項７】
請求項４に記載の画像読取装置を備え、
前記読取部の下方位置に画像形成部を有し、
前記フレーム補強部の下方位置に、前記画像形成部からの記録済の記録紙の排紙部が設けられ、
前記フレーム補強部は、前後方向に延伸しかつ前記左右方向に並ぶ凸形状の複数の排紙ガイドを下面に有している、
ことを特徴とする画像形成装置。
【請求項８】
請求項１から６のいずれか１項に記載の画像読取装置を備え、
前記読取部の下方位置に画像形成部を有し、
前記読取部は、前記画像形成部の真上位置に対して前方側へずれた位置に設けられている、
ことを特徴とする画像形成装置。
【請求項９】
前記画像形成部上の後方側の端部側の位置における筐体部に、開口部が形成されている、
ことを特徴とする請求項８に記載の画像形成装置。
【発明の詳細な説明】
【技術分野】
【０００１】
本発明は、原稿画像を読み取る画像読取装置およびそれを備えた画像形成装置に関する。
【背景技術】
【０００２】
従来、読取ユニット（画像読取装置）を備えた画像形成装置は、例えば特許文献１に開示されているように、上部に読取ユニットを備え、読取ユニットの下方に画像形成部を備えている。
【０００３】
読取ユニットは、最上部のカバー部材の下にプラテンガラスを有し、例えばプラテンガラス上に載置された原稿の画像を、左右方向へ往復移動する読取部によって読み取るようになっている。
【先行技術文献】
【特許文献】
【０００４】
【特許文献１】特開２０１６−１５５７３号公報
【発明の概要】
【発明が解決しようとする課題】
【０００５】
上記従来の画像形成装置において、書籍等の原稿の所定の頁を読取ユニットにて読み取る場合、ユーザは、上記所定の頁を開いた状態にて書籍等の原稿をプラテンガラス上に配置し、書籍等の原稿をプラテンガラスに押し付ける。そのため、プラテンガラスの支持構造には、剛性が必要とされていた。
【０００６】
本発明の一態様は、プラテンガラスの支持構造の剛性を向上することができる画像読取装置および画像形成装置の提供を目的とする。
【課題を解決するための手段】
【０００７】
上記の課題を解決するために、本発明の一態様に係る画像読取装置は、プラテンガラスと、前記プラテンガラスの周縁を支持する支持フレームと、前記プラテンガラスの原稿が載置される上面とは反対側の下面側、かつ、前記支持フレームの内側に配置され、左右方向に往復移動する読取部と、前記支持フレームの前記内側の内底面に前記左右方向に延伸するように形成され、前記読取部の往復移動を案内する案内部と、前記読取部の動作を制御する制御部と、前記読取部と前記制御部とを接続するハーネスと、前記内底面の前記案内部よりも前方側位置に形成され、前記左右方向へ延伸した凹形状の溝からなり、前記ハーネスを収容するハーネス収容部と、を備える。
【０００８】
上記の構成によれば、支持フレームの内底面に形成されたハーネス収容部は、案内部よりも前方側位置に形成され、左右方向へ延伸した状態の凹部形状の溝であるから、プラテンガラスの支持フレームの剛性を高めることができる。
【発明の効果】
【０００９】
本発明の一態様によれば、画像読取装置のプラテンガラスの支持構造の剛性を向上することができる。
【図面の簡単な説明】
【００１０】
【図１】本発明の一実施形態の画像形成装置を示す斜視図である。
【図２】図１に示した画像形成装置の原稿台カバーを開放した状態を示す斜視図である。
【図３】図１に示した画像形成装置の縦断面図である。
【図４】図１に示した画像形成装置の原稿台カバーを除去し、プラテンガラスを透過した状態の概略の平面図である。
【図５】本発明の他の実施形態の画像形成装置の縦断面図である。
【図６】図５に示した画像形成装置の原稿台カバーを除去し、プラテンガラスを透過した状態の概略の平面図である。
【図７】図５に示した画像形成装置の、図５の断面に対して垂直な方向の断面を示す概略の縦断面図である。
【発明を実施するための形態】
【００１１】
〔実施形態１〕
以下、本発明の一実施形態について、詳細に説明する。以下に説明する各図には、矢印にて画像形成装置１の上、下、左、右、前および後を示す。なお、左および右は、向って左および向って右である。
【００１２】
図１は、本実施形態の画像形成装置１を示す斜視図である。図２は、図１に示した画像形成装置１の原稿台カバー２１を開放した状態を示す斜視図である。図３は、図１に示した画像形成装置１の縦断面図である。図４は、図１に示した画像形成装置１の原稿台カバー２１を除去し、プラテンガラス２２を透過した状態の概略の平面図である。図１から図３に示すように、画像形成装置１は、上部に画像読取装置の一例としてのスキャナ部１１を備え、下部にプリンタ部１２を備えている。
【００１３】
（スキャナ部１１の構成および効果）
図３に示すように、スキャナ部１１は、上から下へ、原稿台カバー２１、プラテンガラス２２、読取部２３および支持フレーム２４を備えている。
【００１４】
原稿台カバー２１は、後端部に設けられたヒンジ２５により支持フレーム２４に取り付けられ、プラテンガラス２２に対して開閉可能となっている。プラテンガラス２２は、概ね長方形であり、上面が原稿台となっている。読取部２３は、ＣＩＳ（Contact Image Sensor）等のイメージセンサを有する。読取部２３は、プラテンガラス２２の下方において、左右方向へ往復移動し、イメージセンサによってプラテンガラス２２上の原稿の画像を読み取り、画像信号に変換する。
【００１５】
支持フレーム２４は、例えば、ＡＢＳ樹脂（アクリロニトリル-ブタジエン-スチレン樹脂）やＰＳ−ＨＩ（ハイインパクトポリスチレン）等の樹脂により形成され、外周部によってプラテンガラス２２の外周部を支持する。なお、スキャナ部１１の支持フレーム２４自体は、画像形成装置１の図３に示す筐体部１３等の支持部材と連結され、その支持部材によって支持されている。
【００１６】
支持フレーム２４は、外周部の内側に、水平方向に広がる内底面２６を有する。図４に示すように、内底面２６における前後方向の中央部付近には、左右方向へ延びるレール形状の案内部２７が形成されている。案内部２７は、読取部２３の読取動作における左右方向への移動を案内する。
【００１７】
内底面２６の案内部２７よりも前方側位置には、ハーネス収容部２８が形成されている。ハーネス収容部２８は、左右方向へ延伸した凹形状の溝からなる。プラテンガラス２２を支持する支持フレーム２４は、内底面２６にこのようなハーネス収容部２８を有することにより、剛性が高められている。これにより、書籍等の原稿の所定の頁をスキャナ部１１にて読み取る場合に、書籍等の原稿がプラテンガラス２２に押し付けられた場合であっても、支持フレーム２４は高い剛性によりプラテンガラス２２を支持することができる。
【００１８】
また、ハーネス収容部２８は、垂直方向に延びる縦壁であって左右方向へ延伸する壁である第１壁部２９を有している。これにより、スキャナ部１１では、プラテンガラス２２を支持する支持フレーム２４の剛性をさらに向上することができる。また、ハーネス収容部２８の凹形状の溝は、第１壁部２９と対向し、垂直方向に延びる縦壁であって左右方向へ延伸する壁である第２壁部３０を有している。これにより、プラテンガラス２２を支持する支持フレーム２４の剛性をより一層向上することができる。
【００１９】
ハーネス収容部２８の内部には、可撓性のケーブルであるハーネス３１が収容されている。ハーネス３１は、読取部２３と制御部３２（図４参照）とを接続している。制御部３２は、例えば制御基板として構成され、案内部２７よりも前方側位置に設けられ、読取部２３の動作を制御する。このように、制御部３２は、案内部２７よりも前方側位置に設けられており、ハーネス収容部２８は、支持フレーム２４の内側の内底面の案内部２７よりも前方側位置に形成されている。これにより、制御部３２とハーネス収容部２８との距離が短くなり、ハーネス３１の長さを短くすることができる。
【００２０】
また、図４に示すように、スキャナ部１１では、プラテンガラス２２上の前方側の端部位置が、読取原稿を配置する場合の基準位置１６となっている。プラテンガラスの前方側の位置は、ハーネス収容部２８によって支持フレーム２４の剛性が向上されている。これにより、読取部２３は基準位置１６に配置された原稿を安定に読み取ることができる。
【００２１】
（プリンタ部１２の構成および効果）
プリンタ部１２は、給排紙開口部４１、給紙カセット４２、記録紙搬送路４３、画像形成部の一例としての画像記録部４４および排紙トレイ４５を有している。
【００２２】
給排紙開口部４１は、画像形成装置１の前面における上下方向の中央部付近かつ左右方向の中央部付近に形成されている。給紙カセット４２は、記録紙を収容し、画像形成装置１の底部に画像形成装置１に対して出し入れ可能に設けられている。記録紙搬送路４３は、記録紙に対する印刷の際に、給紙カセット４２に収容されている記録紙を画像記録部４４へと搬送する。画像記録部４４は、インクジェット方式の記録ヘッド４６を有し、記録ヘッド４６により記録紙に対して画像を印刷する。画像記録部４４は、プリンタ部１２の後方側に位置する。排紙トレイ４５は、画像記録部４４から排出された記録紙を収容する。なお、記録ヘッド４６にインクを供給するインクカートリッジは、図１および図２に示すカートリッジカバー４７の内部のカートリッジ装着部７１（図７参照）に装着されている。
【００２３】
画像形成装置１では、読取部２３の下方位置に画像記録部４４を有し、読取部２３は、画像記録部４４の真上位置に対して前方側へずれた位置に設けられている。さらに詳細には、画像形成装置１では、スキャナ部１１の後端位置は、プリンタ部１２の後端位置とは一致せず、プリンタ部１２の後端位置に対して前方へずれた位置となっている。これにより、画像形成装置１は、画像形成部上の後方側の端部側の位置に空領域１４を生じている。
【００２４】
そこで、画像形成装置１では、空領域１４における筐体部１３に開口部５１を形成し、開口部５１を蓋部材５２にて開閉可能に覆っている。蓋部材５２はヒンジ５３にて筐体部１３に取り付けられている。これにより、画像形成装置１では、開口部５１を画像形成装置１の補修、点検用等の開口部として利用することができる。
【００２５】
ハーネス３１を収容しているハーネス収容部２８とプリンタ部１２とが上下方向に重なっているため、画像形成装置１は、上下方向に小さくすることができる。
【００２６】
〔実施形態２〕
本発明の他の実施形態について、以下に説明する。なお、説明の便宜上、上記実施形態にて説明した部材と同じ機能を有する部材については、同じ符号を付記し、その説明を繰り返さない。
【００２７】
（スキャナ部１５およびプリンタ部１２の構成および効果）
図５は、本実施形態の画像形成装置２の縦断面図である。図６は、図５に示した画像形成装置２の原稿台カバー２１を除去し、プラテンガラス２２を透過した状態の概略の平面図である。図７は、図５に示した画像形成装置２の、図５の断面に対して垂直な方向の断面を示す概略の縦断面図である。
【００２８】
図５に示すように、本実施形態の画像形成装置２は、図３に示したスキャナ部１１に代えてスキャナ部１５を備え、スキャナ部１５は前記支持フレーム２４に代えて支持フレーム３４を備えている。図５および図６に示すように、スキャナ部１５は、支持フレーム３４の内側の内底面２６に、ハーネス収容部２８と隣接して、ハーネス収容部２８に対する案内部２７側の位置に、フレーム補強部６１を有している。支持フレーム３４のその他の構成は支持フレーム２４と同様である。
【００２９】
フレーム補強部６１は、左右方向へ延伸した凹形状の溝を有する。ハーネス収容部２８の凹形状の溝は、フレーム補強部６１側の位置に第１壁部２９を有する。フレーム補強部６１は、凹形状における案内部２７側の位置に、左右方向へ延伸した縦壁であり、ハーネス収容部２８の第１壁部２９と対向する第３壁部６２を有し、かつ第１壁部２９から第３壁部６２に達する第４壁部６３を有している。これにより、支持フレーム３４は、フレーム補強部６１の存在により、支持フレーム２４と比較して剛性をさらに向上することができる。
【００３０】
画像形成装置２は、スキャナ部１１の読取部２３の下方位置に画像形成部の一例としての画像記録部４４を有し、フレーム補強部６１の下方位置に、画像記録部４４からの記録済の記録紙が排出される、排紙部の一例としての排紙トレイ６５が設けられている。また、フレーム補強部６１は、図５および図７に示すように、下面に複数の排紙ガイド６４を下面に有している。排紙ガイド６４は、前後方向に延伸しかつ左右方向に並び、下方への凸形状を有している。したがって、プリンタ部１２すなわち画像形成装置２では、排紙ガイド６４により、画像記録部４４から排紙トレイ６５に排紙される記録紙の上面を押さえて、記録紙を排紙ガイド６４に案内することができる。これにより、排紙ガイド６４での記録紙のジャムの発生を抑制することができる。
【００３１】
なお、画像形成装置２は、図７に示すように、右端の前面側位置にカートリッジ装着部７１を有し、このカートリッジ装着部７１には、左側から右側へ、シアンのインクタンク７２、マゼンタのインクタンク７３、イエローのインクタンク７４およびブラックのインクタンク７５が装着されている。また、画像形成装置２は、左端の下部に電源７６を備えている。
【符号の説明】
【００３２】
１，２    画像形成装置
１１，１５    スキャナ部
１２    プリンタ部
１３    筐体部
１４    空領域
２１    原稿台カバー
２２    プラテンガラス
２３    読取部
２４，３４    支持フレーム
２６    内底面
２７    案内部
２８    ハーネス収容部
２９    第１壁部
３０    第２壁部
３１    ハーネス
３２    制御部
４１    給排紙開口部
４２    給紙カセット
４３    記録紙搬送路
４４    画像記録部
４５    排紙トレイ
４６    記録ヘッド
４７    カートリッジカバー
５１    開口部
５２    蓋部材
６１    フレーム補強部
６２    第３壁部
６３    第４壁部
６４    排紙ガイド
６５    排紙トレイ
７１    カートリッジ装着部
【図１】
2020167482.tif 000003
【図２】
2020167482.tif 000004
【図３】
2020167482.tif 000005
【図４】
2020167482.tif 000006
【図５】
2020167482.tif 000007
【図６】
2020167482.tif 000008
【図７】
2020167482.tif 000009